(57)【特許請求の範囲】
【請求項１】
枠と障子と、障子を開閉自在に枠に連結する連結具と、上枠の内周側面に取付けた上枠補助材と、上枠補助材に設けた裏板を備え、上枠補助材は、外周側が開放した溝形部内に裏板を保持する裏板保持部を有し、裏板保持部に保持した裏板に螺合するビスにより連結具を上枠補助材に固定したことを特徴とするたてすべり出し窓。
【請求項２】
上枠補助材に上枠との係合部を設けたことを特徴とする請求項１記載のたてすべり出し窓。
【請求項３】
枠と障子と、障子を開閉自在に枠に連結する連結具と、上枠の内周側面に取付けた上枠補助材と、上枠補助材に設けた裏板を備え、上枠補助材は、室外側が上枠に係合し室内側が上枠に固定具で固定してあり、裏板に螺合するビスにより連結具を上枠補助材に固定したことを特徴とするたてすべり出し窓。
【請求項４】
枠と障子と、障子を開閉自在に枠に連結する連結具と、上枠の内周側面に取付けた上枠補助材と、上枠補助材に設けた裏板を備え、上枠補助材は、上枠への固定部よりも室内側に連結具の支え部を有し、裏板に螺合するビスにより連結具を上枠補助材に固定したことを特徴とするたてすべり出し窓。
【発明の詳細な説明】
【技術分野】
【０００１】
本発明は、たてすべり出し窓に関する。
【背景技術】
【０００２】
従来、たてすべり出し窓においては、枠と障子を連結するフリクションステー等の連結具９１を上枠９０に取付けるにあたり、図１２に示すように、上枠９０の外周側面に裏板９２を設置し、上枠９０の内周側面に取付台座９３を配置し、連結具９１を取付台座９３と共に内周側からのビス９４で裏板９２に共締めしている。枠は、躯体開口部への収まりの違いによって断面形状が異なるため、枠の種類に応じて裏板９２を使い分けており、裏板９２を製作するのにコストがかかっている。また、連結具９１を取付けるために上枠９０に多数のビス孔（バカ孔）を開けているため、そのビス穴を通じて躯体側から水が障子側に漏れたり、雨水が躯体に浸入したりする不都合もある。これを防ぐために、従来は裏板９２の枠側面にウレタンゴム等のシール材９５を貼り付けて止水しており、裏板９２のコストが一層増大することとなっていた。
【発明の概要】
【発明が解決しようとする課題】
【０００３】
本発明は以上に述べた実情に鑑み、枠の種類によらず裏板を共通化でき、横枠に連結具取付用のビス孔を開けないたてすべり出し窓の提供を目的とする。
【課題を解決するための手段】
【０００４】
上記の課題を達成するために請求項１記載の発明によるたてすべり出し窓は、枠と障子と、障子を開閉自在に枠に連結する連結具と、上枠の内周側面に取付けた上枠補助材と、上枠補助材に設けた裏板を備え、上枠補助材は、外周側が開放した溝形部内に裏板を保持する裏板保持部を有し、裏板保持部に保持した裏板に螺合するビスにより連結具を上枠補助材に固定したことを特徴とする。
【０００６】
請求項２記載の発明によるたてすべり出し窓は、請求項１記載の発明の構成に加え、上枠補助材に上枠との係合部を設けたことを特徴とする。
【０００７】
請求項３記載の発明によるたてすべり出し窓は、枠と障子と、障子を開閉自在に枠に連結する連結具と、上枠の内周側面に取付けた上枠補助材と、上枠補助材に設けた裏板を備え、上枠補助材は、室外側が上枠に係合し室内側が上枠に固定具で固定してあり、裏板に螺合するビスにより連結具を上枠補助材に固定したことを特徴とする。
【０００８】
請求項４記載の発明によるたてすべり出し窓は、枠と障子と、障子を開閉自在に枠に連結する連結具と、上枠の内周側面に取付けた上枠補助材と、上枠補助材に設けた裏板を備え、上枠補助材は、上枠への固定部よりも室内側に連結具の支え部を有し、裏板に螺合するビスにより連結具を上枠補助材に固定したことを特徴とする。
【発明の効果】
【０００９】
請求項１記載の発明によるたてすべり出し窓は、上枠に裏板を配置するのではなく、上枠の内周側面に取付けた上枠補助材に裏板を設けたので、枠の種類によらず裏板を共通化することができる。また、上下の横枠用の裏板を共通化することもできる。さらに、上枠補助材の裏板に螺合するビスにより連結具を上枠補助材に固定したことにより、上枠には連結具取付用のビス孔（バカ孔）が不要になり、上枠にビス孔（バカ孔）を開けないことで上枠の止水性の確保が容易になる。
【００１０】
さらに本発明によるたてすべり出し窓は、上枠補助材に外周側が開放した溝形部を有するので、溝形部内に裏板を配置するスペースを容易に確保することができる上、溝形部内に裏板を保持する裏板保持部を有することで、裏板保持部で裏板の室内外移動を制限できるので、施工がしやすい。
【００１１】
請求項２記載の発明によるたてすべり出し窓は、上枠補助材に上枠との係合部を設けたことで、上枠補助材を上枠に取付ける作業が容易に行え、尚且つ上枠補助材取付用の固定具の数を少なくできる。
【００１２】
請求項３記載の発明によるたてすべり出し窓は、上枠補助材の室外側を上枠に係合させ、室内側を上枠に固定具で固定したので、障子を開放したときの障子の垂れ下がりに伴う下向き荷重を室外側の係合部で受け、上枠補助材の室内側は上枠に押し付けられ、固定具に引き抜き力が掛からないため、固定具の数を一層少なくすることができ、少ない固定具で上枠補助材を安定して上枠に取付けできる。
【００１３】
請求項４記載の発明によるたてすべり出し窓は、上枠補助材に、上枠への固定部よりも室内側に連結具の支え部を有するので、見込み方向の幅の広い連結具であっても、障子を開けたときの連結具の転び（傾き）を支え部により規制し、連結具を安定して上枠補助材に取付けできる。
【図面の簡単な説明】
【００１４】
【図１】本発明のたてすべり出し窓の一実施形態を示す縦断面図である。
【図２】同たてすべり出し窓の障子を閉めた状態での横断面図である。
【図３】同たてすべり出し窓の障子を開けた状態での横断面図である。
【図４】同たてすべり出し窓の室外側正面図である。
【図５】上枠のフリクションステーの取付部分を障子を開けた状態で下方より見た図である。
【図６】上枠部の縦断面図であって、障子を開けたときの状態を示す。
【図７】上枠に上枠補助材とフリクションステーを順次取付ける様子を示す縦断面図である。
【図８】本発明のたてすべり出し窓の他の実施形態を示す縦断面図である。
【図９】図８のたてすべり出し窓において、上枠のフリクションステーの取付部分を障子を開けた状態で下方より見た図である。
【図１０】上枠補助材の他の実施形態を示す縦断面図である。
【図１１】本発明のたてすべり出し窓のさらに別の実施形態を示す縦断面図である。
【図１２】従来のたてすべり出し窓において、上枠にフリクションステーを設置する手順を示す縦断面図である。
【発明を実施するための形態】
【００１５】
以下、本発明の実施の形態を図面に基づいて説明する。図１〜５は、本発明のたてすべり出し窓の一実施形態を示している。本たてすべり出し窓は、ビル用のものであって、躯体開口部に取付けられる枠１と、枠１内に開閉自在に設けた障子２とを備えている。障子２は、図１に示すように、上枠４と上框１２間及び下枠１３と下框１４間に設けたフリクションステー３，３により枠１に連結され、図３に示すように、室外側にすべり出しつつ縦軸回りに約９０°回動して開くようになっている。
【００１６】
枠１は、アルミニウム合金の押出形材よりなる上枠４と下枠１３と左右の竪枠１５，１５とを四方枠組みして構成してある。
障子２は、アルミニウム合金の押出形材よりなる上框１２と下框１４と吊元框１６と戸先框１７とを四周框組みし、各框の内周側に形成した溝１８内にガラスパネル１９の周縁部を嵌め込んで固定したものとなっている。戸先框１７の室内側には、図２に示すように、施錠具を兼ねるハンドル２０が取付けてある。
上下のフリクションステー３は、左右勝手違いのものを上下逆に取付けたものであって、図２，３に示すように、枠１に取付けられる枠プレート２１と、障子２に取付けられる障子プレート２２と、枠プレート２１の長手方向に沿ってスライドするスライドピース２３と、枠プレート２１と障子プレート２２とを繋ぐアーム２４とで構成され、スライドピース２３の摩擦抵抗により障子２を任意の開き角度で保持できるようになっている。なおフリクションステー３は、障子２の大きさ・重量に応じて大小２種類のサイズがあり、本実施形態のたてすべり出し窓では小さい方を使用している。  
【００１７】
上枠４には、図１，５に示すように、内周側面４ａに上枠補助材５が取付けてある。上枠保持材５は、アルミニウム合金の押出形材を用い、フリクションステー３の枠プレート２１より少し長い長さに形成したものであり、上方に開放した略コ字状断面の溝形部１０と、溝形部１０の室外側面より室外側に突出して設けた係合部８と、溝形部１０の室内側の上縁部より室内側に突出して設けた固定部１１とを有している。上枠４は、室外側の見付け面の下縁部に沿ってタイト材ホルダー２５が室内側に突出する形で形成してあり、上枠補助材５は上枠４の内周側面４ａに当接させ、係合部８を室内側からタイト材ホルダー２５上に係合し、固定部１１の左右両端部２箇所をビス９で直接上枠４にネジ止めしている。このビス９にはシールビス（ネジ部にシール剤を特殊加工し、ネジ自体にシール機能を持たせたもの）を用いており、上枠４に開けた雌ねじ孔を通じて躯体側から水が障子２側に漏れたり、雨水が躯体に浸入したりするのを防止している。タイト材ホルダー２５には、水切りタイト材２６が下向きに取付けられ、水切りタイト材２６により上枠４と上框１２の間の隙間を塞いでいる。上枠補助材５の溝形部１０の底面（上面）には、室内外方向に離間して設けた爪２７により裏板保持部２８が形成してあり、裏板保持部２８に保持してステンレスの帯状の板で形成した裏板６を配置してあり、フリクションステー３の枠プレート２１が、上枠補助材５を貫通して裏板６に螺合する３本のビス７で上枠補助材５に取付けてある。図５中の符号２９は、上枠補助材５に枠プレート２１を取付ける前に、裏板６が裏板保持部２８から脱落しないように、裏板６を仮止めしているビスである。上框１２は、図１に示すように、外周側面の裏側に裏板３０が保持してあり、フリクションステー３の障子プレート２２が、当該裏板３０に螺合する４本のビス３１で上框１２に固定してある。
【００１８】
下枠１３は、図１に示すように、上下方向の中間部にフリクションステー３の取付部３２が水平に形成され、この取付部３２は室外側の半部３２ａが室外側に突出する板状に形成され、その下面に裏板３３を配置し、フリクションステー３の枠プレート２１を、裏板３３に螺合する３本のビス３４で取付部３２に固定してある。ビス３４の下方は、室外側が開放した空間３５になっているので、ビス孔から雨水が浸入しても下枠１３上面を伝って屋外に排水される。裏板３３は、上枠補助材５に設けた裏板６と同じものを使用している。下框１４は、外周側面の裏側に裏板３６が保持してあり、フリクションステー３の障子プレート２２が、当該裏板３６に螺合する４本のビス３７で下框１４に固定してある。
【００１９】
次に、障子２を枠１に取付ける際の手順を説明する。まず図７（ａ）に示すように、裏板６を設けた上枠補助材５を、下方より上枠内周側面４ａに押し付けて、室外側にスライドさせて係合部８を上枠４のタイト材ホルダー２５上に係合させる。次に、図７（ｂ）に示すように、上枠補助材５の固定部１１をビス９で上枠４に固定する。その後、図７（ｃ）に示すように、フリクションステー３の枠プレート２１の取付孔３８に挿入したビス７を裏板６の雌ネジ孔３９に螺合し、フリクションステー３を上枠補助材５に取付ける。下枠１３にもフリクションステー３をビス３４で取付ける。その後、フリクションステー３の障子プレート２２を、上框１２と下框１４にビス３１，３７で取付ければ、障子２の取付が完了する。なお、フリクションステー３を障子２に先に取付けておき、上枠補助材５と下枠１３にフリクションステー３を後から取付けることもできる。
【００２０】
以上に述べたように本たてすべり出し窓は、上枠４上面に裏板を配置するのを止め、上枠４の内周側面４ａに上枠補助材５を取付け、上枠補助材５に設けた裏板６にビス７を螺合してフリクションステー３を取付けたことで、躯体への納まりの違う枠で裏板６を共通化することができ、また上枠用の裏板６と下枠用の裏板３３も共通化することができる。しかも裏板６は、ステンレスの帯状の板から安価に製作できるため、コストを削減することができる。上枠４の孔加工は、上枠補助材５をビス止めするための２箇所の雌ネジ孔だけでよく、フリクションステー３取付用のビス孔を開ける必要がないため、加工のコストも削減できる。また、上枠４にフリクションステー３取付用のビス孔（バカ孔）を開けないことで、上枠４の止水性の確保が容易になる。上枠補助材５は、室外側に設けた係合部８を上枠４に係合し、室内側の固定部１１を上枠４にビス止めすることで、図６に示すように、障子２を開けたときに障子２が垂れ下がろうとするのに伴う下向きの荷重Ｆ１，Ｆ２を、係合部８を介して上枠４に効率よく支持することができ、固定部１１には上枠４に押し付けられる方向で力Ｆ３が働くため、ビス９に引き抜き力が掛からないため、上枠補助材５取付用のビス９を僅か２本と少なくすることができ、しかも裏板を用いないで直接上枠４にビス止めしても、十分強固に上枠補助材５を取付けできる。また、上枠補助材１０の係合部８を上枠４に係合することで、上枠補助材５を室内外方向に位置決めでき、上枠補助材５を容易に且つ正確に上枠４に取付けできる。さらに、上枠４のタイト材ホルダー２５に上枠補助材５を係合するようにしたので、上枠４に上枠補助材５の係合部を別途設ける必要がないため、上枠４の形状を単純にでき、コストを下げることができる。
【００２１】
図８，９は、障子２がより大きく重い場合で、大きい方のサイズのフリクションステー３を用いる場合の実施形態を示している。フリクションステー３自体の構造は、先に示した実施形態のものと同様であるが、大荷重に耐えられるように枠プレート２１やアーム２４等の各部品が太く頑丈なものになっている。上枠補助材５は、固定部１１の室内側縁部より下方に垂下した支え部４０を有しており、支え部４０でフリクションステー３の枠プレート２１の室内側を支えることで、障子２を開けたときのフリクションステー３の転び（傾き）を規制している。
このように本たてすべり出し窓は、フリクションステー３のサイズが複数ある場合でも、上枠補助材５のみを変更することで容易に対応できる。また、躯体への納まりの違う複数の種類の枠１に対して、上枠補助材５のみを変更することで、同一又はサイズ違いのフリクションステー３を取付けることができる。上枠補助材５に設ける裏板６は、フリクションステー３のサイズの違いや枠１の種類によらず、一定の材料を適当な長さに切断して所定のピッチでネジ孔を開けるだけで、容易且つ安価に製作できる。
【００２２】
図１０は、上枠補助材５の他の実施形態を示している。この上枠補助材５は、溝形部１０の下面に裏板保持部２８が、下方が開口したアリ溝状の断面に形成され、フリクションステー３の取付けビス７を当該アリ溝の開口部４１より挿入して裏板６に螺合している。本実施形態によれば、上枠補助材５にビス７の挿通孔を開ける必要がなく、ビス７の配置ピッチの違いに容易に対応できる。
【００２３】
図１１は、本発明のたてすべり出し窓のさらに別の実施形態であって、上枠側のフリクションステー３だけでなく、下枠側のフリクションステー３も下枠補助材４２を介して下枠１３に取付けたものである。下枠補助材４２は、外周側が開放した溝形部１０と、溝形部１０の室内側に設けた係合部８と、溝形部１０の室外側に設けた固定部１１を有し、係合部８の室内側端部を下枠１３に設けた係合溝４３に係合し、固定部１１を下枠１３にビス４４で固定して、下枠１３の内周側面１３ａに取付けてある。障子２を開けたときに、下枠補助材４２の室内側の係合部８は下枠の内周側面１３ａから浮き上がろうとするが、下枠の係合溝４３に係合していることで浮き上がりが規制される。一方、室外側の固定部１１は下枠の内周側面１３ａに押し付けられる方向に力が掛かり、ビス４４に引き抜き力が掛からないため、ビス４４の本数を少なくできる。
【００２４】
本発明は以上に述べた実施形態に限定されない。枠１と障子２を連結する連結具の構成は任意であり、摩擦力によって障子２を任意の開き角度で保持できるフリクションステー３に限らず、障子２のストップ機能を有しない連結具であってもよく、枠１に別途設けた回転式の操作ハンドル等により障子２を開閉するようにしてもよい。上枠補助材５の断面形状は適宜変更することができ、上枠４への係合部８を有しないものであってもよい。上枠補助材５を上枠４に固定するのに、ビス以外の固定具（例えば、リベット等）を用いることもできる。
【符号の説明】
【００２５】
１  枠
２  障子
３  フリクションステー（連結具）
４  上枠（横枠）
４ａ  上枠の内周側面
５  上枠補助材（横枠補助材）
６  裏板
７  ビス
８  係合部
９  ビス（固定具）
１０  溝形部
１１  固定部
１３  下枠（横枠）
１３ａ  下枠の内周側面
４２  下枠補助材（横枠補助材）
【図１】
0005271324.tif 000002
【図２】
0005271324.tif 000003
【図３】
0005271324.tif 000004
【図４】
0005271324.tif 000005
【図５】
0005271324.tif 000006
【図６】
0005271324.tif 000007
【図７】
0005271324.tif 000008
【図８】
0005271324.tif 000009
【図９】
0005271324.tif 000010
【図１０】
0005271324.tif 000011
【図１１】
0005271324.tif 000012
【図１２】
0005271324.tif 000013